(57)【要約】【課題】  歌唱者が着席、直立して歌唱する際に容易にカラオケ環境を調整でき、スペース効率に優れたカラオケ用個室を実現することを目的とする。【解決手段】  ３平方メートル程度以下で壁面によって仕切られたカラオケ用個室であって、上記のディスプレイは、前記歌唱者が着席、直立する歌唱者位置の前面に配置されるようになっており、またマイクは、歌唱者位置の左右どちらかの側壁にマイクアームを介して、設置されるように設計されている。【選択図】  図１
0003176822.tif 000002
【実用新案登録請求の範囲】
【請求項１】
内部の所望位置にカラオケ装置と、カラオケ装置から出力される背景映像や歌詞テロップなどが表示されるディスプレイ、歌唱者の音声を入力するマイク、前記カラオケ装置から出力される音声などを出力する音声出力装置が設置され、これらが３平方メートル以下の壁面によって仕切られたカラオケ個室であって、
前記ディスプレイは、前記歌唱者が着席、直立する歌唱者位置の前面に配置されるとともに、
前記マイクは、歌唱者位置の左右どちらかの側壁にマイクアームを介して、設置されてなることを特徴とするカラオケ用個室。
【請求項２】
前記ディスプレイは、前記歌唱者が着席、直立する歌唱者位置の前面に上下位置及び上下方向角度に調整可能とすることを特徴とする前記請求項１記載のカラオケ用個室。
【請求項３】
前記マイクアームは、メインアームと、このメインアームより短い長さのサブアームが端部で互いに左右上下に角度自在に調整可能に第一ヒンジ部を介して連結されるとともに、前記メインアームは、他端部が側壁面に対して、左右上下に角度自在に調整可能に連結される第二ヒンジ部と、サブアームの他端部に、このサブアームの長さ方向と直行する向きに、回転自在にマイクを取り付けるマイク保持部を設けてなることを特徴とする前記請求項１乃至２の何れか１項記載のカラオケ用個室。
【考案の詳細な説明】
【技術分野】
【０００１】
本考案は、カラオケ装置を設置し、周囲を壁で仕切ったカラオケ用個室に関するものである。
【背景技術】
【０００２】
最近のカラオケは、カラオケ利用者（客）が複数人、あるいはパーティーなどの多数でカラオケを楽しむ利用から、一人でカラオケを楽しんだり、またカラオケの練習として利用できるものへと変化している。そのようなカラオケ装置は、本考案の出願人も実用新案登録第３１２５５８４号を申請している。このような変化に対応して、本願は出願されたものである。
【先行技術文献】
【特許文献】
【０００３】
【特許文献１】実用新案登録第３１３９７４５号公報
【特許文献２】特開平５―２１６４８６号公報
【考案の概要】
【考案が解決しようとする課題】
【０００４】
カラオケを１人で楽しむ個室環境は、特許文献にも記載されているように今日までにも色々な事例がある。要するに、個室でカラオケを楽しむ為に最低限必要とする設備には、カラオケ装置、カラオケの音楽を聴くスピーカーやヘッドホンなどと、歌詞テロップを表示するディスプレイと、歌いたい曲を選曲するリモコンと、自分の声を集音するマイクと、ある一定のスペースの個室があればカラオケの環境が整う。
【０００５】
カラオケを一人で楽しむ個室カラオケであるが故に、個人一人がカラオケを楽しむだけで済むことから、カラオケ音楽と自分の肉声をミックスした音は、外部への音漏れも考慮し、ヘッドホンで聴くことが理想的であり、集中して楽しめる。
【０００６】
また、コンデンサー型マイクによって高感度マイクを提供することでサービスの向上につながる。しかしながら、コンデンサーマイクは、前述したように、高感度が故に、手で持つことによる雑音を拾ったりする不具合があったり電源を必要とする。そこでこれらの問題を解決するためや歌唱に集中させるためにマイクを歌唱者が持たずに歌唱できるマイクスタンドなどが必要となる。
【０００７】
またさらにカラオケ用個室は、周囲を壁で仕切って提供するため、歌唱者が着席して歌唱したり、直立して歌唱したりすると狭いのである程度のスペースを必要としていた。
【０００８】
そこで本願考案では、これらカラオケを楽しむ際に、歌唱者がマイクを持たずに歌唱でき、マイクの設定位置調整が容易で、しかもディスプレイにおいても歌唱者が着席、直立して歌唱する際に容易にカラオケ環境を調整でき、スペース効率に優れたカラオケ用個室を実現することを目的として考案されたものである。
【課題を解決するための手段】
【０００９】
本考案のカラオケ用個室は、内部の所望位置にカラオケ装置と、カラオケ装置から出力される背景映像や歌詞テロップなどが表示されるディスプレイ、歌唱者の音声を入力するマイク、前記カラオケ装置から出力される音声などを出力する音声出力装置が設置され、特に、３平方メートル程度以下で壁面によって仕切られ、
上記のディスプレイは、前記歌唱者が着席、直立する歌唱者位置の前面に配置されるようになっており、またマイクは、歌唱者位置の左右どちらかの側壁にマイクアームを介して、設置されるように設計されている。
【００１０】
特に、このカラオケ用個室としては、歌唱者が着席、直立する歌唱者位置の前面に上下位置及び上下方向角度に調整可能なディスプレイが選択されるものである。
【００１１】
またさらにカラオケ用個室で設置される前記マイクアームは、メインアームと、このメインアームより短い長さのサブアームが端部で互いに左右上下に角度自在に調整可能に第一ヒンジ部を介して連結されるとともに、前記メインアームは、他端部が側壁面に対して、左右上下に角度自在に調整可能に連結される第二ヒンジ部と、サブアームの他端部に、このサブアームの長さ方向と直行する向きに、回転自在にマイクを取り付けるマイク保持部を設けてなるものを設置している。
【図面の簡単な説明】
【００１２】
【図１】本考案のカラオケ用個室を示す側面イメージ説明図である。
【図２】本考案のカラオケ用個室に設置されるマイクアームとこのアームに設置されたコンデンサー型マイクを示す斜視説明図である。
【図３】図２で示すマイクアームを背面側から見た説明図である。
【図４】図３で示すマイクアームの一部断面説明図である。
【考案を実施するための形態】
【００１３】
本考案の実施形態を図面に基づいて説明する。
【実施例】
【００１４】
図１は本考案のカラオケ用個室の概念を示すイメージ図である。大人ひとりが入室でき、カラオケを楽しむのに最低限のシステムとして、カラオケを再生する装置５と、カラオケの音楽を聴くヘッドホン４、歌詞テロップを表示するモニター画面２と、歌いたい曲を選曲するリモコン７と、自分の声を拡声するマイク３と、これらを格納するカラオケ個室１０そのもので個室カラオケの環境が整っている。
なお、図１では音楽を聴くのにヘッドホンを用いているが、スピーカを使用して音楽を聴くものであっても構わない。
【００１５】
カラオケ個室１０には入口扉６があり、この入口扉６を閉めることでカラオケ個室１０内と外とは簡易的ではあるが遮音ができる。
【００１６】
リモコン７は、利用者が着席、直立による歌唱姿勢、待機姿勢など少なくとも視認と操作性を考慮し、カラオケ設置テーブル８上に埋め込んでいる。利用者は、このカラオケ個室１０内で着席による歌唱姿勢、直立による歌唱姿勢ができるようにスペースは確保されている。
【００１７】
また、マイク３は、コンデンサー型マイクを使用している。歌唱者の音声入力感度が良くなり、カラオケの歌唱を楽しめる。また、コンデンサー型マイクを使用していることによるハウリング等の問題を解消するためと歌唱者の集中力を高めるために音声出力手段をヘッドホンで構成している。マイクアーム１１は、歌唱者の左側の壁面９に取り付けている。
【００１８】
本考案のカラオケ用個室に設置されるマイクアーム１は、図２に示すようにメインアーム１１と、このメインアーム１１より短い長さのサブアーム１２が端部で互いに左右上下に角度自在に調整可能に第一ヒンジ部１３を介して連結されたマイクアーム１であって、前記メインアーム１１は、他端部が壁面に対して、左右上下に角度自在に調整可能に連結される第二ヒンジ部１４と、サブアーム１２の他端部に、このサブアーム１２の長さ方向と直行する向きに、回転自在にマイクを取り付けるマイク保持部１５を設けてなるように構成されている。
【００１９】
前記メインアーム１１とサブアーム１２は、内部に空洞部１８を設け、この空洞部にマイクコードを装着するコード装着部１９を有してなる構造とした（図３、図４参照）。
【００２０】
また、マイクアーム１の取り付け状態において、前記第二ヒンジ部１４は、壁面に対して平行位置に配置されるステーパイプ２１と、このステーパイプ２１を両端部側から壁面に軸回転自在に保持するステー保持部２２が設けられ、このステー保持部２２は、壁固定部２６が適宜な固定手段で壁に固定される。さらにこのステーパイプ２１には、前記メインアーム１１をこのステーパイプ２１の軸回転方向と直行する向きに角度自在に調整可能な調整ヒンジ部２４で構成した。
【００２１】
メインアーム１１と、サブアーム１２が互いに第一ヒンジ部１３を介して連結されている状態において、左右上下に角度自在に調整可能とは、第一ヒンジ支点１３ａと１３ｂによって、それぞれ矢印方向ａ、ｂに回動自在に保持されている。また、第二ヒンジ部１４において、左右上下に角度自在に調整可能に連結される点については、第二ヒンジ支点１４ａ、１４ｂによって、それぞれ矢印方向ｃ、ｄに移動自在に保持されている。
【００２２】
また、図４に示したようにメインアーム１１が、支点１４ｂで上下に回転する際、サブアーム連結板３１とメインアーム連結板３２が、連結ステー３３によって、それぞれ取付支点３６ａ、３６ｂ、３７ａ、３７ｂで連結されており、支点１４ｂでメインアーム１１が回転してもサブアーム１２は、支点１４ａで回転し、床面に対して常に平行に保たれるように構成されている。３５は、ガスショックアブソーバーであって、前記取付支点３６ｂと３７ａで連結されており、メインアーム１１が無段階位置で安定して固定できるように構成されている。
【００２３】
また前記サブアーム１２には、マイクアーム１の調整用取手２９を設け、歌唱者がマイク３の調整位置を容易にした。また、ディスプレイ２は、支点２ａを中心に回動自在に調節可能となっており、歌唱者が着席、直立する歌唱者位置に合せて調整され、歌唱者の前面に配置されるようになっている。
【００２４】
上述するように、カラオケを楽しむ際に、コンデンサー型マイクを利用した場合であっても、歌唱者が手で持って歌わずに、適切な歌唱位置でマイクが設定され、不用意に雑音を拾うことなくカラオケを楽しめることができる。さらに歌唱者が着席状態でも直立状態でもマイクの設定位置が容易で、カラオケ個室のスペース効率も向上させることができるマイクアームを提供できるものである。
【００２５】
さらにマイクアーム１は、特にコンデンサー型マイクを使用した場合に、ファンタム電源のコードが必要であり、少なくともこのコードを配線するコード装着部を空洞部１８に設けているので歌唱者は、これらマイクコードを気にせずに歌唱できる。
【符号の説明】
【００２６】
１・・・マイクアーム
２・・・モニター画面
２ａ・・支点
３・・・マイク
４・・・ヘッドホン
５・・・カラオケ装置
６・・・入口扉
７・・・リモコン
８・・・机
９・・・壁面
１０・・・カラオケ個室
１１・・・メインアーム
１２・・・サブアーム
１３・・・第一ヒンジ部
１３ａ、１３ｂ・・・第一ヒンジ支点
１４・・・第二ヒンジ部
１４ａ、１４ｂ・・・第二ヒンジ支点
１５・・・マイク保持部
１６・・・マイク保持部
１８・・・空洞部
１９・・・コード装着部
２０・・・マイクコード
２１・・・ステーパイプ
２２・・・ステー保持部
２４・・・調整ヒンジ部
２９・・・調整用取手
【図１】
0003176822.tif 000003
【図２】
0003176822.tif 000004
【図３】
0003176822.tif 000005
【図４】
0003176822.tif 000006